(57)【特許請求の範囲】
【請求項１】
間隔を開けて設けられ天井と床との間に取り外し可能に設けられる一対の支持部材と、
前記一対の支持部材間に固定された前面板と、
前記前面板に回動可能に取り付けられ、前記前面板との接続部分を軸として上下方向に回動可能なテーブル板と、
前記テーブル板を挟んで前記支持部材それぞれに個別に設けられ、前記支持部材との接続部分を軸として開閉可能な一対の扉と、
を備え、
前記テーブル板は、前記前面板と重なる収納状態と前記前面板から水平に突出した使用状態とに維持可能に前記前面板に取り付けられ、
前記テーブル板を前記収納状態にして前記一対の扉を閉状態とする間仕切り状態と、前記テーブル板を前記使用状態にして前記一対の扉を開状態とするブース状態とに切替可能であり、
前記一対の扉は、前記ブース状態にあるとき、前記一対の扉によって前記テーブル板の前に存在する人が隠れる大きさを有することを特徴とするパーテーション。
【請求項２】
前記一対の扉は、前記間仕切り状態にあるとき、前記一対の扉どうしが交互に重なる幅を有することを特徴とする請求項１に記載のパーテーション。
【請求項３】
前記一対の扉は、観音開き式の扉であることを特徴とする請求項１に記載のパーテーション。
【請求項４】
前記一対の支持部材は壁に接して取り付けられ、前記壁の一部を前記前面板として用いることを特徴とする請求項１から請求項３のいずれか一項に記載のパーテーション。
【請求項５】
前記扉及び前記前面板それぞれの、前記テーブル板側の面の少なくとも一部は、吸音材からなることを特徴とする請求項１から請求項４のいずれか一項に記載のパーテーション。
【発明の詳細な説明】
【技術分野】
【０００１】
本発明は、パーテーションに関する。
【背景技術】
【０００２】
近年、働き方改革による、テレワークやリモートワーク等の多様な働き方の推進、また、コロナウィルスの影響等により、自宅やサテライトオフィスでのテレワークが加速している。また、コロナウィルスの影響を受けて、企業によっては、事務所を縮小する傾向にあり、テレワークの比率が増大すると予想される。
【０００３】
ところで、日本の住宅環境においては、テレワークが可能な書斎等のスペースを持っている世帯は少なく、共働き比率も増加するなか、自宅にテレワークブースを作ることは困難である。
【０００４】
市場では、テレワーク用の商品、例えば机、椅子、イヤホン、マイクロホン等が販売されている。しかしながら、外部からの騒音を遮音すること、自らが騒音源として発する音を吸音すること、等、テレワーク中の環境に配慮する商品は少ない。テレワーク中の環境に配慮した家中テレブースとして、ＢＯＸ型等が提案されている。また、テレブースの簡易タイプとしては、テント型等のブース、また、ダンボールを使用した家具、ライティングデスクの様な家具、または収納家具等が提案されている。また、サテライトオフィス用等としてカプセル型（例えば、特許文献１参照）のブース等も提案されている。
【先行技術文献】
【特許文献】
【０００５】
【特許文献１】特許第３２９８４７９号公報
【発明の概要】
【発明が解決しようとする課題】
【０００６】
しかしながら、日本の住宅環境の観点から、置き場所が狭くても配置することができ、且つテレワーク中の作業空間や作業環境を確保することのできる構造物が望まれていた。
【０００７】
そこで、この発明は、上記従来の未解決の課題に着目してなされたものであり、占有面積が小さく且つ良好な作業環境を確保することの可能なパーテーションを提供することを目的としている。
【課題を解決するための手段】
【０００８】
上記目的を達成するべく、本発明の一態様によれば、間隔を開けて設けられ天井と床との間に取り外し可能に設けられる一対の支持部材と、一対の支持部材間に固定された前面板と、前面板に回動可能に取り付けられ、前面板との接続部分を軸として上下方向に回動可能なテーブル板と、テーブル板を挟んで支持部材それぞれに個別に設けられ、支持部材との接続部分を軸として開閉可能な一対の扉と、を備え、テーブル板は、前面板と重なる収納状態と前面板から水平に突出した使用状態とに維持可能に前面板に取り付けられ、テーブル板を収納状態にして一対の扉を閉状態とする間仕切り状態と、テーブル板を使用状態にして一対の扉を開状態とするブース状態とに切替可能であり、一対の扉は、ブース状態にあるとき、一対の扉によってテーブル板の前に存在する人が隠れる大きさを有するパーテーションが提供される。
【発明の効果】
【０００９】
本発明によれば、占有面積が小さく且つ良好な作業環境を確保することの可能なパーテーションを実現することができる。
【図面の簡単な説明】
【００１０】
【図１】本発明の一実施形態に係るパーテーションの一例を示す斜視図である。
【図２】パーテーションの一例を示す、（ａ）は上面図（ブース状態）、（ｂ）は正面図（ブース状態）、（ｃ）は左側面図（ブース状態）、（ｄ）は背面図、（ｅ）は上面図（間仕切り状態）、（ｆ）は正面図（間仕切り状態）である。
【図３】吸音材の特性の一例を示す特性図である。
【発明を実施するための形態】
【００１１】
以下に、本発明の実施形態について図面を参照して説明する。
ここで、図面は模式的なものであり、厚みと平面寸法との関係、各厚みの比率等は現実のものとは異なる。また、以下に示す実施形態は、本発明の技術的思想を具体化するための構成を例示するものであって、本発明の技術的思想は、構成部品の材質、形状、構造等が下記のものに特定するものでない。本発明の技術的思想は、特許請求の範囲に記載された請求項が規定する技術的範囲内において、種々の変更を加えることができる。
【００１２】
［構成］
図１は、本発明に係るパーテーション１の一例を示す斜視図であって、パーテーション１は、左右の扉を備えており、左右の扉４、５を閉じたときには一枚のパネル状の間仕切りとして機能し、扉４、５を開いたときにはブースとして機能する。
図２はパーテーション１の一例を示した構成図であって、（ａ）〜（ｃ）は間仕切り状態における構成を示し、（ａ）は上面図、（ｂ）は正面図、（ｃ）は左側から見た側面図である。また、（ｄ）は背面図である。また、（ｅ）及び（ｆ）はブース状態におけるパーテーション１の構成を示し、（ｅ）は上面図、（ｄ）は正面図である。
図２に示すようにパーテーション１は、一対の支持部材２と、前面板３と、左扉４と、右扉５と、テーブル板６と、を備える。
【００１３】
支持部材２は、床から天井近傍までの高さを有し、床と天井との間に突っ張り固定される。支持部材２の上端には、支持部材２と天井との間の隙間を調整するための図示しない調整部材が取り付けられ、調整部材で支持部材２と天井との間の隙間を調整することにより、支持部材２が突っ張り固定される。支持部材２としては、例えば２×４材が用いられる。調整部材としては、例えば、平安伸銅工業株式会社製のラブリコシリーズの２×４アジャスタを用いることができる。支持部材２は、２×４材の面どうしが向かい合うように固定される。
【００１４】
支持部材２には、支持部材２間の強度を確保するため、少なくとも３箇所に横桟２１が設けられている。図２では、支持部材２の上部と中部と下部との３箇所に横桟２１ａ〜２１ｃが設けられる。例えば、支持部材２の全体を２４０ｍｍとしたとき、横桟２１ａは、支持部材２の上端から１００ｍｍ程度下の、上端近傍の位置に設けられ、横桟２１ｂは、支持部材２の中央よりもやや上端寄りの、上端から９８０ｍｍ程度下の位置に設けられ、横桟２１ｃは、支持部材２の下端から２００ｍｍ程度上の、下端近傍の位置に設けられている。横桟２１は、例えば支持部材２と同一の２×４材からなる。横桟２１ａ〜２１ｃのそれぞれは、例えば図示しない棚受け金具により、横桟２１の両端それぞれが、支持部材２のそれぞれに固定される。棚受け金具としては、例えば、平安伸銅工業株式会社製のラブリコシリーズの２×３棚受けシングルを用いることができる。
【００１５】
横桟２１の長さは、ブース状態のときに、机の天板となるテーブル板６の幅や、遮音性やプライバシーを確保する為の扉４、５を収納する為、テーブル板６や扉４、５がその機能を発揮できる長さを考慮して設定され、例えば、６００ｍｍ程度以上に設定される。横桟２１の長さが６００ｍｍ以下である場合、テーブル板６は６００ｍｍよりも短くする必要があり、テーブル板６にノートパソコンとマウスを載置してデスクワードを行うには狭く、作業性を損なう可能性がある。また、ブース状態のときに、開状態に維持される扉４、５は、テーブル板６に向かって作業する作業者に対する遮音性を維持するために用いられるが、横桟２１の長さが６００ｍｍ以下の場合、扉４、５の幅を６００ｍｍより短くすする必要があり、扉４、５の幅が６００ｍｍよりも短いと遮音性を確保することが困難である。ただし、横桟２１の長さは、パーテーション１の設置スペース等を考慮すると、１０００ｍｍ以下が好ましい。
【００１６】
前面板３は、上板３１と下板３２とを有し、上板３１は、横桟２１ａと横桟２１ｂと一対の支持部材２とで囲まれた枠に嵌め込まれた状態で、枠の厚み方向中央部分に、例えばＬ字金具等で扉４、５側から固定される。下板３２は、横桟２１ｂと２１ｃと一対の支持部材２とで囲まれた枠に嵌め込まれた状態で、横桟２１ｂ及び２１ｃの、扉４、５とは逆側の端部に沿って例えばＬ字金具等で、扉４、５側から固定される。
【００１７】
上板３１は、例えば有孔ボードからなる。下板３２は、例えば、テーブル板６を取り付け可能な板材からなり、扉４、５側の面に、吸音材７が設けられている。吸音材７については後述する。
上板３１として有孔ボードを用いることによって、別途取り付けフックを設けることが可能であり、さらに、棚や照明器具等を取り付けることも可能であり、上板３１を壁として有効活用することができる。上板３１は有孔ボードに限るものではない。上板３１としてアクリル板等の透明板を用いることによって、明かりを取り入れることも可能である。また、上板３１は、壁としてのインテリア活用や環境適性を踏まえた部材を任意に施工することができる。
【００１８】
扉４、５は、矩形状を有し、それぞれ支持部材２の、横桟２１ｂと横桟２１ｃとの間に取り付けられ、左扉４はインセットタイプのキャッチ付きのスライド蝶番４ａにより一方の支持部材２に取り付けられ、右扉５は、全かぶせのキャッチ付きのスライド蝶番５ａにより他方の支持部材２に取り付けられている。左扉４及び右扉５は、扉の大きさに応じて少なくとも２つ以上のスライド蝶番４ａ又は５ａによって、それぞれ取り付けられている。キャッチ付のスライド蝶番４ａ、４ｂとしては、例えば株式会社ムラコシ精工製のキャッチ付のワンタッチ式スライドヒンジを用いることができる。
【００１９】
このように扉４、５を支持部材２に取り付けることによって、扉４、５は、支持部材２との接続部分であるスライド蝶番４ａ、５ａを軸として左右方向に回動し、扉４、５を閉じると、左扉４は一対の支持部材２の間に収まり、右扉５は各支持部材２の端部に接した状態となる。
扉４、５は、使用基材の、閉じたときに内側となる面に、吸音材７が取り付けられている。
【００２０】
扉４、５は、扉４、５が開状態であるブース状態にあるときに、これら扉４、５によってテーブル板６の前に存在する人が隠れる大きさを有する。具体的には、扉４、５の幅は、例えば横桟２１の最大長さが８６５ｍｍであるとき、左扉４は８２０ｍｍ、右扉５は８９５ｍｍの幅に設定される。扉４、５の幅を大きくするほど、扉４、５の重量は大きくなるが、扉４、５の幅が大きいほど、吸音性及び遮音性が向上し、プライバシーの確保をより十分に行うことができる。扉４、５の長さは、重量及び使用基材の取り都合（４尺巾）を考慮して、最大１２００ｍｍが望ましい。
扉４、５の設置位置は、利用者がテーブル板６に向かって椅子に着席したときの目線以下に扉４、５の上端が見えると、気が散りやすくなることから、扉４、５の上端が一番下の横桟２１ｃの上端から１２００ｍｍ以上の位置となるようにすることが好ましい。
【００２１】
図２では、扉４、５は、１２００ｍｍの長さを有し、扉４、５の上端が横桟２１ｂの下部から１０ｍｍ下の位置、扉４、５の下端が横桟２１ｃの上端から１０ｍｍ上の位置にくるように配置される。また、扉４、５は、１２００ｍの長さを有する場合、扉４、５の上端から１５０ｍｍ下の位置及び扉４、５の下端から１５０ｍｍ上の位置に、スライド蝶番４ａ、５ａが取り付けられるようになっている。
【００２２】
ここで、扉４、５及び下板３２に設けられる吸音材７としては、フェルトタイプのものや再生ポリエステル成形タイプのもの等を用いることができる。フェルトタイプのものとしては、例えば、厚さ９ｍｍ、定型サイズ６００ｍｍ×９００ｍｍ、素材はポリエステル製フェルトであって、印刷可能な不織布により、袋貼り（４方巻き込み）されているもの等がある。また、再生ポリエステル成形タイプのものとしては、例えば、厚さ７ｍｍ，サイズ３×６（９００ｍｍ×１８００ｍｍ）、素材はＰＥＴボトル再生ポリエステル材であって、印刷可能な不織布により、平貼り（４方巻き込みなし）されており、現場でのカットが可能なものであって、音響性能として、周波数１６００Ｈｚ以上４０００Ｈｚ以下で吸音率が０．６以上となる特性を有するもの等を用いることができる。
【００２３】
本実施形態では、扉４、５として、例えば厚さ９ｍｍ合板の表裏に、厚さ４ｍｍのＭＤＦ（Medium Density Fiberboard：中密度繊維板）を張り合わせ、さらに、表面はオレフィンシートにて加飾を行い、裏面については、東京防音株式会社製の厚さ７ｍｍのＰＥＴボトル再生ポリエステル材からなるホワイトキューオンの上に、インクジェット方式により印刷を行った不織布をラミネートした板材からなる。
【００２４】
フェルトタイプの吸音材としては、例えば、ドリックス株式会社製のポリエステル製フェルト吸音材であるフェルメノンを適用することができる。図３に、フェルメノンの残響室法吸音率試験の試験結果を示す。図３において、横軸は周波数（Ｈｚ）、縦軸は、吸音率である。図３に示すように、フェルメノンは周波数が１６００Ｈｚ以上８０００Ｈｚの範囲では、吸音率が０．６０以上となる特性を有している。
【００２５】
また、扉４、５を閉じたときの収納性を考慮して、支持部材２の幅、つまり２×４材の幅（３８ｍｍ）に、左扉４、左扉４の吸音材７、下板３２、下板３２の吸音材７を合計した厚みが近い方が好ましい。吸音材７の厚みは、２５ｍｍ以下が好ましく、吸音効果と収納性とを考慮すると１２ｍｍ以下が好ましく、１０ｍｍ程度が好ましい。
また、扉４、５のそれぞれの下部の、スライド蝶番４ａ、５ａとは逆側の端部近傍に、折り畳み式の脚を設け、この脚によっても扉４、５を支持するようにしてもよい。特にパーテーション１を自宅で用いる場合等には、子供が扉４、５にぶら下がって遊ぶ可能性がある。扉４、５に脚を設けることにより、支持部材２からの扉４、５の脱落や、扉４、５のスライド蝶番４ａ、５ａからの脱落等が生じることを抑制することができる。
また、扉４、５それぞれのスライド蝶番４ａ、５ａ側の端部に、手の挟み込み防止のため、Ｒ加工等が施されていることが好ましい。
【００２６】
テーブル板６は、矩形状を有し、一辺が下板３２に回動可能に取り付けられている。テーブル板６は、例えば、図示しない折り畳み式棚受け金具により下板３２の２箇所に取り付けられ、折り畳み式棚受け金具を開いたり、折り畳んだりすることによって、テーブル板６が、下板３２との接続部分を軸として上下方向に回動し、テーブル板６を下板３２から水平に突出した使用状態又は下板３２と重なる収納状態に維持するようになっている。なお、安全性を考慮して、テーブル板６の下面に、収納可能な脚を設け、この脚によってもテーブル板６を支えるようにしてもよい。
【００２７】
テーブル板６は、テレワークの作業性を考慮して、最下端の横桟２１ｃの上端から７００ｍｍ以上の位置に取り付けられている。テーブル板６の奥行は、ノートパソコンの画面を傾ける事を考慮して最低３００ｍｍ以上、可能であれば、５００ｍｍに設定される。図２では、テーブル板６の奥行は５００ｍｍ、幅７５０ｍｍとしている。
また、テーブル板６としては、反り等を考慮して、基材として集成材（厚さ２４ｍｍ）を使用することができる。
【００２８】
［利用方法］
このような構成を有するパーテーション１は、図２（ａ）〜（ｃ）に示すように、パーテーション１を利用しないとき、つまり間仕切り状態とするには、折り畳み式棚受け金具を折り畳む。これにより、テーブル板６は下板３２と重なる収納状態となる。また、扉４、５は、スライド蝶番４ａ、５ａにより支持部材２に取り付けられているため、扉４を閉じ、次に扉５を閉じることにより、扉４は一対の支持部材２の間に収納され、扉５は一対の支持部材２の端部に沿った状態となる。その結果、パーテーション１を側面からみると、一枚の板状の部材となる。
【００２９】
このように、パーテーション１を利用しないときには、パーテーション１を折り畳み、間仕切り状態とすることによって、パーテーション１の占有面積を小さくすることができる。また、間仕切り状態のパーテーション１は一枚の板状となるため、例えば、間仕切り用のパネルとして用いることもできる。また、パーテーション１を壁等に沿わせて置き、壁パネルとして用いれば邪魔にならない。特に、パーテーション１を、自宅など、限られた空間内で使用する場合には、パーテーション１を利用しないときに占有面積が小さくてすみ、また、間仕切りとして使用することができるため、限られた空間内でパーテーション１を有効に活用することができる。
【００３０】
また、パーテーション１は、特殊工具が不要な突っ張り式のアジャスタを採用して、床と天井とに間に固定している。そのため、アジャスタを調整するだけで、容易に移動させることができ、場所も選ばずに設置することができる。また、アジャスタを調整することによって、パーテーション１を床と天井との間に容易且つ確実に固定することができる。
一方、パーテーション１を利用するとき、つまり、パーテーション１をブース状態とする場合には、図２（ｅ）及び（ｆ）に示すように、扉５、扉４の順に扉を開き、テーブル板６を持ち上げて折り畳み式棚受け金具を開く。これにより、テーブル板６は下板３２から略水平に突出した使用状態に維持される。
【００３１】
この状態で、利用者がテーブル板６に向かって椅子に着席すると、扉４、５は、利用者の両側に位置するため、利用者は扉４、５と、下板３２とにより三方を間仕切りで囲まれた状態となり、ブース内に存在することと略同等となる。また、扉４。５は、その上端が、着席した利用者の目線よりも上に位置する長さに形成されているため、ブース外の動き等が、利用者の視界に入ることを防止することができ、ブース外の動きが利用者に与える影響を抑制することができる。また、前面板３及び、扉４、５、によって、ブース外の人から、利用者をある程度隠すことができるため、プライバシーを確保することができる。また、扉４、５の幅を、支持部材２の幅よりも小さい範囲でできるだけ大きくなるようにしているため、より一層、吸音性、遮音性の向上を図ると共に、プライバシーを確保することができる。
【００３２】
また、扉４、５及び下板３２には、パーテーション１がブース状態にある時にブースの内側となる面に、吸音材７が設けられている。そのため、利用者が発する音が外部に漏れることを抑制することができ、逆に外部からの音を遮音することができる。そのため、パーテーション１がブース状態にあるとき、利用者の後方は仕切りで囲まれていないが、利用者の話しにくさや聞き取りにくさを解消し、ストレスフリーな音環境を提供することができる。
【００３３】
また、扉４、５は、スライド蝶番により支持部材２に取り付けられているため、スライド蝶番として脱着スイッチ付きのスライド蝶番４ａ、５ａを用いることによって、支持部材２から扉４、５を容易に取り外すことができる。このように、パーテーション１を簡単に分解することができるため、搬入時等、パーテーション１の移動を容易に行うことができる。
また、パーテーション１を構成する支持部材２や横桟２１を始めとする各部や、アジャスタを始めとする各種取り付け金具等は、一般に用いられている部材を採用している。そのため、安価に実現することができる。
【００３４】
［変形例］
上記実施形態においては、パーテーション１単体で、ブースを実現するようにした場合について説明したがこれに限るものではない。例えば、壁の一部を前面板３として用い、壁に取り付けたパーテーション１として構成してもよい。つまり、前面板３としての壁面にテーブル板６を取り付けると共に、前面板３としての壁面に接するように支持部材２を固定する。また、壁面に接して固定した支持部材２に左右の扉４、５を取り付ける。そして、間仕切り状態とするときには、テーブル板６を壁面に沿わせ、扉４、５を閉じることにより、テーブル板６、扉４、５を壁に沿わせる。また、壁に凹部を設け、凹部に収まるように支持部材２を固定することによって、扉４、５を閉状態としたときに、壁から突出する扉４、５の部分がより薄くなるように構成してもよく、また、扉５の表面と壁面とが面一となるように、凹部の深さを決定してもよい。
【００３５】
また、上記実施形態において、間仕切り状態にあるときに表側となる、下板３２及び扉４、５の、テーブル板６とは逆側の面、及び上板３１の両面、また、支持部材２、横桟２１等に化粧シートやラッピング等を行うことにより、意匠性を高めてもよい。例えば、自宅に設置する場合には、自宅の室内環境に溶け込むような意匠性を持たせてもよい。
【００３６】
また、上記実施形態においては、扉４、５は交互に重なる形態としているが、これに限るものではなく、観音開き式の扉であってもよい。観音開き式の扉の場合、扉４、５それぞれの幅の和が、支持部材２間の幅相当となる。そのため、図２に示すパーテーション１のように、扉４、５が交互に重なる形態と比較して、扉４、５の幅が狭い。つまり、遮音性や吸音性また、プライバシーの確保という観点で多少不利となるが、扉４、５の幅が狭いため、ブース状態のパーテーション１を利用する際における、パーテーション１の占有面積を小さくすることができる。そのため、比較的狭い屋内にパーテーション１を設置する場合等に好適である。また、この場合、例えば、パーテーション１を壁に近接して配置し、壁側が利用者の背中側となるようにすることで、前面板３と、扉４、５と、壁とにより、利用者の四方を囲むブースを形成してもよい。このようにすることによって、扉４、５の幅が狭いことに起因した遮音性や吸音性の低下分を、利用者の背中側に壁がくるようにすることによって補うことができ、遮音性や吸音性の低下を抑制し、且つプライバシーを確保することの可能なパーテーション１を実現することができる。
【００３７】
また、上記実施形態では、上板３１を設ける場合について説明したが、必ずしも上板３１を設けなくともよい。間仕切りとして使用する場合に天井までの高さが必要でなければ上板３１を設けなくともよく、上板３１の長さは、間仕切りとして使用する場合に必要な高さに応じて設定すればよい。
また、上板３１として、下板３２と別の板材を設けるのではなく、前面板３として横桟２１ｃから横桟２１ａまでの長さの一枚の板材を用いてもよい。
【００３８】
以上、本発明の実施形態を説明したが、上記実施形態は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【実施例１】
【００３９】
実施例１として本実施形態におけるパーテーション１について、仕事の集中度、吸音性、遮音性の３つの項目について、１００人の試験員による官能試験にて評価した。
また、比較例１として、扉４、５が無い場合、比較例２として、扉はあるが、観音開き式の扉であって、扉の幅が実施例１における扉４、５の幅Ｌの１／２（Ｌ／２）である場合、比較例３として、扉に吸音材が設けられていない場合、についても同様に評価した。
評価基準は、仕事に集中できる、吸音性が高い、遮音性が高いと判定した人の人数が、７０人以上の場合を○、５０人以上７０人未満の場合を△、５０人未満の場合を×とした。
【００４０】
その結果を、表１に示す。
【００４１】
【表１】
0006866955.tif 000002
【００４２】
表１から、本実施形態におけるパーテーション１（実施例１）のように、扉４、５がある程度の幅を有し、扉４、５に吸音材７を設けることによって、良好な仕事環境を提供できることが確認された。また、扉が観音開き式の場合（比較例２）には、仕事に集中できないと感じる人がいるものの、吸音性、遮音性は良好であった。仕事に集中できないと感じる理由は、利用者の左右の仕切り板が狭いことが要因と推測されることから、例えば利用者の背中側に壁が位置するようにパーテーション１を配置すること等、配置位置を工夫することにより、良好な仕事環境を提供できる。なお、扉がない場合（比較例１）は、仕事の集中度、吸音性、遮音性のいずれの項目も評価が低く、また、扉があっても吸音材が設けられていない場合には、仕事の集中度については評価が高いが、吸音性及び遮音性の点では、多少評価が低かった。
【符号の説明】
【００４３】
１  パーテーション
２  支持部材
２１、２１ａ〜２１ｃ  横桟
３１  上板
３２  下板
４  左扉
５  右扉
６  テーブル板
【要約】
【課題】占有面積が小さく且つ良好な作業環境を確保することの可能なパーテーションを提供する。
【解決手段】天井と床との間に取り外し可能に設けられる一対の支持部材２と、一対の支持部材２間に固定された前面板３と、前面板３に回動可能に取り付けられ、前面板３との接続部分を軸として上下方向に回動可能なテーブル板６と、テーブル板６を挟んで支持部材２それぞれに個別に設けられ、支持部材２との接続部分を軸として開閉可能な一対の扉４、５と、を備え、テーブル板６は、前面板３と重なる収納状態と前面板３から水平に突出した使用状態とに維持可能に前面板３に取り付けられ、パーテーション１は、テーブル板６を収納状態にして一対の扉４、５を閉状態とする間仕切り状態と、テーブル板６を使用状態にして一対の扉４、５を開状態とするブース状態とに切り替えることができる。
【選択図】図２【図１】
0006866955.tif 000003
【図２】
0006866955.tif 000004
【図３】
0006866955.tif 000005